(57)【要約】【課題】浅形レンジフード等の捕集部が浅い構造の場合でも、油煙等の捕集効率の低下を防止することができることを目的とする。【解決手段】薄型の逆椀状に形成された上フード１と、上フード１の下方を覆うように設けた下フード２と、下フード２の略中央部に吸込口３を形成し、下フード２と吸込口３を、使用者に対して奥側より手前側に向かって上方に傾斜させ、吸込口３に着脱自在に設けたフィルター４を備え、フィルター４は中空で下方に向け突出する形状を有し、フィルター４の底面を略水平にすることで、フィルター４前方の開口を大きくしたという構成にしたことにより、調理物からの油煙等がフィルター４前面に引き寄せられやすくなり、フィルター４前面からの油煙等の捕集量を増大することができ、浅形レンジフード等の捕集部が浅い構造の場合でも、油煙等の捕集効率の低下を防止することができるレンジフードを得られる。【選択図】図１
2013160442.tif 000002
【特許請求の範囲】
【請求項１】
薄型の逆椀状に形成された上フードと、前記上フードの下方を覆うように設けた下フードと、前記下フードの略中央部に、吸込口を形成し、前記上フードと前記下フードとの間の空間に、排気用のファンとモータとを設け、前記下フードと前記吸込口を、使用者に対して奥側より手前側に向かって上方に傾斜させ、前記吸込口に着脱自在に設けたフィルターを備え、フィルターは中空で下方に向け突出する形状を有し、フィルターの底面を略水平にすることで、フィルター前方の開口を大きくしたことを特徴とするレンジフード。
【請求項２】
フィルターの底面の開口を小さくしたことを特徴とする請求項１記載のレンジフード。
【請求項３】
フィルターの底面の開口を無くしたことを特徴とする請求項１記載のレンジフード。
【発明の詳細な説明】
【技術分野】
【０００１】
本発明は、台所内で調理時に発生する油煙等を捕集して屋外に排気するレンジフードに関するものである。
【背景技術】
【０００２】
従来、この種のレンジフードは、下面を開口した逆椀状で側面等に吐出口を形成した上側フードと、上側フードの下面開口を覆う下側フードで構成されたものが知られている（例えば、特許文献１参照）。
【０００３】
以下、そのレンジフードについて図３を参照しながら説明する。
【０００４】
図３に示すように、下面を開口した逆椀状で側面等に吐出口１０１を形成した上側フード１０２と、この上側フード１０２内を電装部品の設けられる電装室１０３と送風機１０４の設けられる送風機室１０５とに仕切る仕切板１０６と、送風機室１０５に設けられる送風機１０４に連通する吸込口１０７を有し、上側フード１０２の下面開口を覆う下側フード１０８で構成されている。
【０００５】
以上のように構成されたレンジフードの動作について説明する。
【０００６】
送風機１０４が回転することで、吸込口１０７で吸い込まれた台所内で調理時に発生する油煙等は、下側フード１０８で受けて、吸込口１０７、送風機１０４、送風機室１０５、を通して吐出口１０１に運ばれ屋外に排気される。
【先行技術文献】
【特許文献】
【０００７】
【特許文献１】特許第３３２９６９３号公報
【発明の概要】
【発明が解決しようとする課題】
【０００８】
このような従来のレンジフードにおいては、浅形レンジフード等、捕集部が浅い構造の場合、使用者の手前側のフードから油煙等が吸い込まれず溢れてしまい、油煙等の捕集効率が低下する、という課題を有していた。
【０００９】
そこで本発明は、上記従来の課題を解決するものであり、浅形レンジフード等の捕集部が浅い構造の場合でも、油煙等の捕集効率の低下を防止することができるレンジフードを提供することを目的とする。
【課題を解決するための手段】
【００１０】
そして、この目的を達成するために、本発明は、薄型の逆椀状に形成された上フードと、前記上フードの下方を覆うように設けた下フードと、前記下フードの略中央部に、吸込口を形成し、前記上フードと前記下フードとの間の空間に、排気用のファンとモータとを設け、前記下フードと前記吸込口を、使用者に対して奥側より手前側に向かって上方に傾斜させ、前記吸込口に着脱自在に設けたフィルターを備え、フィルターは中空で下方に向け突出する形状を有し、フィルターの底面を略水平にすることで、フィルター前方の開口を大きくしたものであり、これにより所期の目的を達成するものである。
【発明の効果】
【００１１】
本発明によれば、薄型の逆椀状に形成された上フードと、前記上フードの下方を覆うように設けた下フードと、前記下フードの略中央部に、吸込口を形成し、前記上フードと前記下フードとの間の空間に、排気用のファンとモータとを設け、前記下フードと前記吸込口を、使用者に対して奥側より手前側に向かって上方に傾斜させ、前記吸込口に着脱自在に設けたフィルターを備え、フィルターは中空で下方に向け突出する形状を有し、フィルターの底面を略水平にすることで、フィルター前方の開口を大きくしたという構成にしたことにより、フィルター前方からの吸込が増え、調理物からの油煙等がフィルター前面に引き寄せられやすくなり、フィルター前面からの油煙等の捕集量を増大することができ、浅形レンジフード等の捕集部が浅い構造の場合でも、油煙等の捕集効率の低下を防止することができる、という効果を得ることができる。
【図面の簡単な説明】
【００１２】
【図１】本発明の実施の形態１のレンジフードを示す側構成図
【図２】同レンジフードのフィルターを示す斜視図
【図３】従来のレンジフードを示す断面図
【発明を実施するための形態】
【００１３】
本発明の請求項１記載のレンジフードは、薄型の逆椀状に形成された上フードと、前記上フードの下方を覆うように設けた下フードと、前記下フードの略中央部に、吸込口を形成し、前記上フードと前記下フードとの間の空間に、排気用のファンとモータとを設け、前記下フードと前記吸込口を、使用者に対して奥側より手前側に向かって上方に傾斜させ、前記吸込口に着脱自在に設けたフィルターを備え、前記フィルターは中空で下方に向け突出する形状を有し、前記フィルターの底面を略水平にすることで、前記フィルター前方の開口を大きくした、という構成を有する。これにより、前記フィルター前面開口部の開口面積が大きくなることで、フィルター前方からの吸込が増え、調理物からの油煙等が、前記フィルター前面に引き寄せられやすくなり、前記フィルター前面からの油煙等の捕集量を増大することができ、浅形レンジフード等、捕集部が浅い構造の場合でも、油煙等の捕集効率の低下を防止することができるという効果を奏する。
【００１４】
また、前記フィルターの底面の開口を小さくしたという構成にしてもよい。これにより、前記フィルター前面、側面及び背面での吸込風速が上昇し、前記下フード周囲の油煙等が前記フィルターに引き寄せられやすくなるため、油煙等をより良く吸い込むことができ、浅形レンジフード等の捕集部が浅い構造の場合でも、前記下フード内の広い範囲から油煙等を捕集でき、捕集効率を向上することができるという効果を奏する。
【００１５】
また、前記フィルターの底面の開口を無くしたという構成にしてもよい。これにより、調理物からの油煙等が、開口の無い前記フィルター底面に当たることで、油煙等の移動速度が遅くなり、油煙等を吸い込みやすくすることができる。また前記フィルター底面の開口が無くなることで、前記フィルター前面、側面及び背面での吸込風速が上昇し、前記下フード周囲の油煙等が前記フィルターに引き寄せられやすくなるため、さらに油煙等を良く吸い込むことができ、捕集効率をさらに向上することができ、また前記下フード内の広い範囲から油煙等を捕集できるという効果を奏する。
【００１６】
以下、本発明の実施の形態について図面を参照しながら説明する。
【００１７】
（実施の形態１）
図１に示すように、本発明の実施の形態１のレンジフードは、薄型の逆椀状に形成された上フード１と、台所内で調理時等に発生した廃ガス、油煙、水蒸気、臭気等を受け止める上フード１の下方を覆うように設けた下フード２と下フード２の中央近傍に受け止めた廃ガスを吸い込むための吸込口３を備え、吸込口３手前には油煙等の油を捕集するフィルター４を着脱自在に形成する。ここでは一例として、フィルター４をねじで着脱させている。
【００１８】
また、フィルター４は中空で下方すなわちコンロ等の調理器具の方向に向け突出する形状を有し、フィルター４の底面を略水平すなわち下フードの外周のフランジ部と平行にすることで、フィルター４の使用者の立っている側である前方の開口面積をフィルター４の底面を斜めにした場合と比較して大きくしている。
【００１９】
図２にフィルター４の一例を斜視図にて示す。ただし、実施の形態１ではフィルター４の底面の複数の丸穴の開口面積は他の面のいずれよりも小さい構成とする。
【００２０】
なお、フィルター４の底面には開口を設けず、油煙等の捕集はフィルター４の前面、側面および背面で行う構成としてもよい。
【００２１】
また、図１に示すように、上フード１と下フード２との間の空間に、排気用のファン５とモータ６とを備え、上フード１の背面には吸込口３から吸い込まれた廃ガス等を排気するアダプター７で構成されている。ファン５は例えばターボファンで構成され、吸込口３とアダプター７を結ぶ排気経路を形成する。
【００２２】
というのは、シロッコファンに比べ、安く構成することができるとともにファン効率を向上化させることができるからである。
【００２３】
また、下フード２と吸込口３を、使用者に対して奥側より手前側に向かって上方に傾斜する形状とし、その傾斜に合わせてフィルター４やファン５、モータ６も傾斜した構成を有する。
【００２４】
なお、傾斜の角度としては、下フード２の底面と上フード１の天面との間の高さにファン５とモータ６とが収まる程度に傾けた角度なら、どんな角度でも良い。
【００２５】
なお、ファン５はターボファンとしたが、ケーシング付のシロッコファン等、他の形状のものでもよい。
【００２６】
また、アダプター７は、上フード１の背面にある開口部８に取り付いており、ファン５の傾斜角度とアダプター７のシャッター９の開き角度を合わせることで、排気経路の抵抗を低減し、風量の確保や騒音低減を図ることができる。
【００２７】
ただし、アダプター７は上フード１の背面だけでなく、側面や上面等の開口（開口部８に相当）に取り付ける構成としてもよい。
【００２８】
このような構成によれば、フィルター４の前方からの廃ガス、油煙、水蒸気、臭気等の吸込量が増え、調理物からの油煙等が、フィルター４の前面に引き寄せられやすくなり、フィルター４の前面からの油煙等の捕集量を増大することができる。
【００２９】
また、フィルター４の開口面積を小さくしたことで、フィルター４の前面、側面および背面での吸込風速が上昇し、下フード２周囲の油煙等がフィルター４に引き寄せられやすくなるため、油煙等をより良く吸い込むことができ、浅形レンジフード等の捕集部が浅い構造の場合でも、下フード２内の広い範囲から油煙等を捕集でき、捕集効率を向上することができる。
【００３０】
また、フィルター４の底面には開口を設けず、油煙等の捕集はフィルター４の前面、側面および背面で行う構成とした場合には、調理物からの油煙等が開口の無いフィルター４底面に当たることで、油煙等の移動速度が遅くなり、油煙等を吸い込みやすくすることができ、捕集効率をさらに向上することができる。
【産業上の利用可能性】
【００３１】
本発明にかかるレンジフードは、浅形レンジフード等の捕集部が浅い構造のものでも、整流板等の部品を使用することなく、捕集効率向上を図るレンジフード等として有効である。
【符号の説明】
【００３２】
１  上フード
２  下フード
３  吸込口
４  フィルター
５  ファン
６  モータ
７  アダプター
８  開口部
９  シャッター
【図１】
2013160442.tif 000003
【図２】
2013160442.tif 000004
【図３】
2013160442.tif 000005